(57)【要約】  マットレス用の嵌め込み式マットレス・カバーは、下縁部分を含み、下縁部分は逆Ｊ字形部分、鏡像のように対称形となる逆Ｊ字形部分、端部で終了する部分、または逆Ｕ字形部分であってもよい。カバーの側部分および端部分の下縁を相互に接合して、カバーの連続した下縁を形成することができる。Ｊ字形部分の場合には、弾性結合部を下方向に折り畳んだ部分の下に配置することができる。弾性結合部は、カバーの下縁の長さに沿って少なくとも部分的に延びることができる。弾性帯は、カバーの各隅に配置され、関連する隅部を横切って対角線状に延び、側部分の１つに隣接し、および隣接端部分の１つに隣接してそれぞれ固定された対向する端部を有することができる。帯は、ステッチによっておよび／または補足的固定手段によって所定の位置に固定され、帯がカバーから確実に引き離されないようにすることができる。【選択図】      図１
2008520358.tif 000002
【特許請求の範囲】
【請求項１】
嵌め込み式シート、嵌め込み式マットレス・パッドおよびマットレス用の他の嵌め込み式寝具のうちの１つである嵌め込み式マットレス・カバーであって、前記カバーが、天部分、側部分および端部分を有する布地本体を備え、前記側部分および端部分が、前記側部分または端部分から第１の長さまで上方向に折り畳み、第２の長さまで下方向に折り畳んだ布地によって画定された下縁部分を有し、前記第１の長さが前記第２の長さより大きく、前記上方向および下方向に折り畳んだ部分が、全体的に逆Ｊ字形またはＵ字形部分を画定し、前記側部分および端部分の下縁を相互に接合して、前記カバーの連続した下縁を形成し、さらに、前記下方向に折り畳んだ部分の下に配置され、それによって前記下方向に折り畳んだ部分で部分的に囲まれた弾性結合部を備え、前記弾性結合部が、前記カバーの前記下縁の長さに沿って少なくとも部分的に延び、前記結合部を、ステッチによって前記下縁部分に固定し、さらに、前記カバーの各隅に配置された弾性帯を備え、各帯は、関連する隅を横切って対角線状に延び、その対向する端部が、前記側部分の１つに隣接し、および前記隣接端部分の１つに隣接してそれぞれ固定され、前記帯が、前記ステッチのうちの少なくとも１つによっておよび補足的固定手段によって所定の位置に固定され、前記帯が前記カバーから確実に引き離されないようにする、嵌め込み式マットレス・カバー。
【請求項２】
前記帯それぞれの各端部を、前記下縁部分の１つと前記結合部との間に挟み、前記カバーの前記下縁に隣接して配置された端部縁で終了させ、前記帯それぞれの各端部を、前記下方向に折り畳んだ部分の上端の上を通って、前記下縁部分の内層に当てて下方向に折り畳み、前記帯それぞれの各端部の前記補足的固定手段が、前記帯の前記折り畳んだ層、前記下縁部分の前記内層、前記結合部、前記下縁部分の１つと前記結合部の間に挟まれた前記帯の前記層、および前記下縁部分の外層を通って延びる固定ステッチを備える、請求項１に記載の嵌め込み式マットレス・カバー。
【請求項３】
前記帯それぞれの各端部を、前記下縁部分の１つと前記結合部の間に挟み、前記カバーの前記下縁に隣接して配置された端部縁で終了させ、前記帯それぞれの各端部の前記補足的固定手段が、前記下縁部分の前記内層、前記結合部、前記下縁部分の１つと前記結合部の間に挟まれた前記帯の前記層、および前記下縁部分の外層を通って延びる固定ステッチを備える、請求項１に記載の嵌め込み式マットレス・カバー。
【請求項４】
前記帯それぞれの各端部を、前記下縁部分の内層に隣接して配置し、前記カバーの前記下縁に隣接して配置された端部縁で終了させ、前記帯それぞれの各端部を、全体的にＵ字形または逆Ｕ字形の構成で折り畳み、前記帯それぞれの各端部の前記補足的固定手段が、前記帯の前記２つの折り畳んだ層、前記下縁部分の前記内層、前記結合部、および前記下縁部分の外層を通って延びる固定ステッチを備える、請求項１に記載の嵌め込み式マットレス・カバー。
【請求項５】
前記帯それぞれの各端部を、前記下縁部分の内層に隣接して配置し、前記下方向に折り畳んだ部分の上縁または下縁に隣接して配置された端部縁で終了させ、前記帯それぞれの各端部の前記補足的固定手段が、前記帯の層、前記下縁部分の前記内層、前記結合部、および前記下縁部分の外層を通って延びる固定ステッチを備える、請求項１に記載の嵌め込み式マットレス・カバー。
【請求項６】
嵌め込み式シート、嵌め込み式マットレス・パッドおよびマットレス用の他の嵌め込み式寝具のうちの１つである嵌め込み式マットレス・カバーであって、前記カバーが、天部分、側部分および端部分を有する布地本体を含み、前記側部分および端部分が、前記側部分または端部分から下縁で終了する布地によって画定された下縁部分を有し、さらに、内部の逆Ｊ字形部分および外部の鏡像のように対称形となる逆Ｊ字形またはＵ字形の部分を含む布結合部を備え、前記Ｊ字形またはＵ字形部分のそれぞれを、第１の長さまで上方向に折り畳み、第２の長さまで下方向に折り畳んだ布地材料で作成され、前記第１の長さが前記第２の長さより大きく、前記側部分および端部分の下縁が相互に接合して、前記カバーの連続した下縁を形成し、さらに、前記内部Ｊ字形またはＵ字形部分の前記下方向に折り畳んだ部分の下に配置され、それによって前記下方向に折り畳んだ部分により部分的に囲まれた弾性結合部を備え、前記弾性結合部が、前記カバーの前記下縁の長さに沿って少なくとも部分的に延び、前記結合部が、ステッチによって前記下縁部分に固定され、さらに、前記カバーの各隅に配置された弾性帯を備え、各帯が、関連する隅を横切って対角線状に延び、その対向する端部が、前記側部分の１つに隣接し、および前記隣接端部分の１つに隣接してそれぞれ固定され、前記帯が、前記ステッチのうちの少なくとも１つによっておよび補足的固定手段によって所定の位置に固定されて、前記帯が前記カバーから確実に引き離されないようにする、嵌め込み式マットレス・カバー。
【請求項７】
前記帯それぞれの各端部を、前記下縁部分の１つと前記結合部との間に挟み、前記カバーの前記下縁に隣接して配置された端部縁で終了させ、前記帯それぞれの各端部を、前記下方向に折り畳んだ部分の上端の上を通って、前記下縁部分の内層に当てて下方向に折り畳み、前記帯それぞれの各端部の前記補足的固定手段が、前記帯の折り畳んだ層、前記内部Ｊ字形またはＵ字形部分の層、前記結合部、前記下縁部分の１つと前記結合部の間に挟まれた前記帯の前記層、前記下縁部分の層、および前記外部Ｊ字形またはＵ字形部分の層を通って延びる固定ステッチを備える、請求項６に記載の嵌め込み式マットレス・カバー。
【請求項８】
前記帯それぞれの各端部を、前記下縁部分の１つと前記結合部の間に挟み、前記カバーの前記下縁に隣接して配置された端部縁で終了させ、前記帯それぞれの各端部の前記補足的固定手段が、前記内部Ｊ字形またはＵ字形部分の層、前記結合部、前記下縁部分の１つと前記結合部の間に挟まれた前記帯の前記層、前記下縁部分の層、および前記外部Ｊ字形またはＵ字形部分の層を通って延びる固定ステッチを備える、請求項６に記載の嵌め込み式マットレス・カバー。
【請求項９】
前記帯それぞれの各端部を、前記内部Ｊ字形またはＵ字形部分に隣接して配置し、全体的に前記カバーの前記下縁に隣接して配置された端部縁で終了させ、前記帯それぞれの各端部を、全体的にＵ字形または逆Ｕ字形の構成で折り畳み、前記帯それぞれの各端部の前記補足的固定手段が、前記帯の前記２つの折り畳んだ層、前記内部Ｊ字形またはＵ字形部分の層、前記結合部、前記下縁部分の層、および前記外部Ｊ字形またはＵ字形部分の層を通って延びる固定ステッチを備える、請求項６に記載の嵌め込み式マットレス・カバー。
【請求項１０】
前記帯それぞれの各端部を、前記内部Ｊ字形またはＵ字形部分に隣接して配置し、前記下方向に折り畳んだ部分の上縁または下縁に隣接して配置された端部縁で終了させ、前記帯それぞれの各端部の補足的固定手段が、前記帯の層、前記内部Ｊ字形またはＵ字形部分の層、前記結合部、前記下縁部分の層、および前記外部Ｊ字形またはＵ字形部分の層を通って延びる固定ステッチを備える、請求項６に記載の嵌め込み式マットレス・カバー。
【請求項１１】
嵌め込み式シート、嵌め込み式マットレス・パッドおよびマットレス用の他の嵌め込み式寝具のうちの１つである嵌め込み式マットレス・カバーであって、前記カバーが、天部分、側部分および端部分を有する布地本体を含み、前記側部分および端部分は、前記側部分または端部分から第１の長さまで上方向に折り畳み、第２の長さまで下方向に折り畳んだ布地によって画定された下縁部分を有し、前記第１の長さが前記第２の長さと実質的に同じであり、前記上方向および下方向に折り畳んだ部分が、全体的に逆Ｕ字形部分を画定し、前記側部分および端部分の下縁を相互に接合して、前記カバーの連続した下縁を形成し、さらに、前記下方向に折り畳んだ部分に隣接して配置された弾性結合部を備え、前記弾性結合部が、前記カバーの前記下縁の長さに沿って少なくとも部分的に延び、前記結合部が、ステッチによって前記下縁部分に固定され、さらに、前記カバーの各隅に配置された弾性帯を備え、各帯が、関連する隅を横切って対角線状に延び、その対向する端部が、前記側部分の１つに隣接し、および前記隣接端部分の１つに隣接してそれぞれ固定され、前記帯が前記ステッチのうちの少なくとも１つによっておよび補足的固定手段によって所定の位置に固定され、前記帯が前記カバーから確実に引き離されないようにする、嵌め込み式マットレス・カバー。
【請求項１２】
前記帯それぞれの各端部を、前記下縁部分の１つと前記結合部との間に挟み、前記カバーの前記下縁に隣接して配置された端部縁で終了させ、前記帯それぞれの各端部を、前記下方向に折り畳んだ部分の上端の上を通って、前記下縁部分の内層に当てて下方向に折り畳み、前記帯それぞれの各端部の前記補足的固定手段が、前記帯の折り畳んだ層、前記Ｕ字形部分の前記層、前記結合部、前記下縁部分の１つと前記結合部の間に挟まれた前記帯の前記層、および前記下縁部分の外層を通って延びる固定ステッチを備える、請求項１１に記載の嵌め込み式マットレス・カバー。
【請求項１３】
前記帯それぞれの各端部を、前記下縁部分の１つと前記結合部の間に挟み、前記カバーの前記下縁に隣接して配置された端部縁で終了させ、前記帯それぞれの各端部の前記補足的固定手段が、前記Ｕ字形部分の前記層、前記結合部、前記下縁部分の１つと前記結合部の間に挟まれた前記帯の前記層、および前記下縁部分の外層を通って延びる固定ステッチを備える、請求項１１に記載の嵌め込み式マットレス・カバー。
【請求項１４】
前記帯それぞれの各端部を、前記下縁部分の内層に隣接して配置し、全体的に前記カバーの前記下縁に隣接して配置された端部縁で終了させ、前記帯それぞれの各端部が、全体的にＵ字形の構成または逆Ｕ字形の構成で折り畳まれ、前記帯それぞれの各端部の前記補足的固定手段が、前記帯の前記２つの折り畳んだ層、前記Ｕ字形部分の前記層、前記結合部、および前記下縁部分の外層を通って延びる固定ステッチを備える、請求項１１に記載の嵌め込み式マットレス・カバー。
【請求項１５】
前記帯それぞれの各端部を、前記下縁部分の内層に隣接して配置し、前記下方向に折り畳んだ部分の上縁または下縁に隣接して配置された端部縁で終了させ、前記帯それぞれの各端部の前記補足的固定手段が、前記帯の関連する層、前記Ｕ字形部分の前記層、前記結合部、および前記下縁部分の外層を通って延びる固定ステッチを備える、請求項１１に記載の嵌め込み式マットレス・カバー。
【請求項１６】
嵌め込み式シート、嵌め込み式マットレス・パッドおよびマットレス用の他の嵌め込み式寝具のうちの１つである嵌め込み式マットレス・カバーであって、前記カバーが、天部分、側部分および端部分を有する布地本体を備え、前記側部分および端部分が、前記側部分または端部分から下縁で終了する布地によって画定された下縁部分を有し、前記側部分および端部分の下縁が相互に接合して、前記カバーの連続した下縁を形成し、さらに、前記下縁部分に隣接して配置された弾性結合部を備え、前記弾性結合部が、前記カバーの前記下縁の長さに沿って少なくとも部分的に延び、前記結合部が、ステッチによって前記下縁部分に固定され、さらに、前記カバーの各隅に配置された弾性帯を備え、各帯が、関連する隅を横切って対角線状に延び、その対向する端部が、それぞれ前記側部分に隣接して配置されている前記弾性結合部に隣接し、および前記隣接端部分の１つに隣接して固定され、前記帯が、前記ステッチのうちの少なくとも１つによっておよび補足的固定手段によって所定の位置に固定され、前記帯が前記カバーから確実に引き離されないようにする、嵌め込み式マットレス・カバー。
【請求項１７】
前記ステッチがかがり縫いである、請求項１６に記載の嵌め込み式マットレス・カバー。
【請求項１８】
前記帯それぞれの各端部が、前記カバーの前記下縁に隣接して配置された端部縁で終了し、前記帯それぞれの各端部を、全体的にＵ字形の構成または逆Ｕ字形の構成で折り畳み、前記帯それぞれの各端部の前記補足的固定手段が、前記帯の前記２つの折り畳んだ層、前記結合部、および前記下縁部分の層を通って延びる固定ステッチを備える、請求項１６に記載の嵌め込み式マットレス・カバー。
【請求項１９】
前記帯それぞれの各端部が、前記弾性結合部の上端部または下端部に隣接して配置された端部縁で終了し、前記帯それぞれの各端部の前記補足的固定手段が、前記帯の層、前記結合部、および前記下縁部分の層を通って延びる固定ステッチを備える、請求項１６に記載の嵌め込み式マットレス・カバー。
【請求項２０】
嵌め込み式シート、嵌め込み式マットレス・パッドおよびマットレス用の他の嵌め込み式寝具のうちの１つである嵌め込み式マットレス・カバーであって、前記カバーが、天部分、側部分および端部分を有する布地本体を備え、前記側部分および端部分が、前記側部分または端部分から下縁で終了する布地によって画定された下縁部分を有し、前記側部分および端部分の下縁を相互に接合して、前記カバーの連続した下縁を形成し、さらに、折り畳んだ構成で前記カバーの前記下縁の内側および外側に配置され、それによって内部および外部弾性結合層を画定する弾性結合部を備え、前記弾性結合部が、前記カバーの前記下縁の長さに沿って少なくとも部分的に延び、前記結合部が、ステッチによって前記下縁部分に固定され、さらに、前記カバーの各隅に配置された弾性帯を備え、各帯は、関連する隅を横切って対角線状に延び、その対向する端部は、前記側部分の一方に隣接し、および前記隣接する端部分の一方に隣接してそれぞれ固定され、前記帯が、前記ステッチのうちの少なくとも１つによっておよび補足的固定手段によって所定の位置に固定され、前記帯が前記カバーから確実に引き離されないようにする、嵌め込み式マットレス・カバー。
【請求項２１】
前記帯それぞれの各端部を、前記下縁部分の１つと前記結合部との間に挟み、前記カバーの前記下縁に隣接して配置された端部縁で終了させ、前記帯それぞれの各端部の前記補足的固定手段が、前記内部弾性結合層、前記下縁部分の１つと前記結合部の間に挟まれた前記帯の前記層、前記下縁部分の層、および前記外部弾性結合層を通って延びる固定ステッチを備える、請求項２０に記載の嵌め込み式マットレス・カバー。
【請求項２２】
前記帯それぞれの各端部を、前記内部弾性結合層に隣接して配置し、全体的に前記カバーの前記下縁に隣接して配置された端部縁で終了させ、前記帯それぞれの各端部が、全体的にＵ字形の構成または逆Ｕ字形の構成で折り畳まれ、前記帯それぞれの各端部の前記補足的固定手段が、前記帯の前記２つの折り畳んだ層、前記内部弾性結合層、前記下縁部分の層、および前記外部弾性結合層を通って延びる固定ステッチを備える、請求項２０に記載の嵌め込み式マットレス・カバー。
【請求項２３】
前記帯それぞれの各端部を、前記内部弾性結合層に隣接して配置し、前記内部弾性結合層の上縁または下縁に隣接して配置された端部縁で終了させ、前記帯それぞれの各端部の前記補足的固定手段が、前記帯の層、前記内部弾性結合層、前記下縁部分の層、および前記外部弾性結合層を通って延びる固定ステッチを備える、請求項２０に記載の嵌め込み式マットレス・カバー。
【発明の詳細な説明】
【技術分野】
【０００１】
本発明は、概して、マットレス用嵌め込み式カバーに関し、特に、マットレスの隅部に対して所定の位置でカバーを保持するために、その隅部に対角線状に延びる弾性帯を有する改良型の嵌め込み式カバーに関する。
【背景技術】
【０００２】
当技術分野では、現在、マットレスなどのために知られている多様な嵌め込み式シートが存在する。このようなシートは通常、シートの下縁に弾性結合部を使用する。特定のシート設計では、横方向または対角線方向に延びる追加の弾性帯を、シートの隅部に設けることができる。弾性結合部は、弾性帯との組合せで、様々なサイズのマットレスへのシートの取り付けを容易にし、さらに嵌め込み式シートのしわを除去する。
【０００３】
弾性結合部および弾性帯は、マットレスへの十分な保持を提供するが、既存の帯設計の１つの欠点は、下にあるマットレスを持ち上げるためにシートを把持する場合、このようなシートの隅部にて対角線状の帯に多大な力がかかり得ることである。シートが、主に下にあるマットレスを持ち上げるために使用される場合、弾性帯が、取り付け点にてシートから引き離されることがある。これは特に、これらの弾性帯が極めて強力であり、通常はその中間点で容易に引き裂かれないからである。
【０００４】
したがって、このような嵌め込み式シートの構造における重要な考察事項は、シートの下縁部分にその隅部弾性帯を取り付ける経済的かつ強力な方法で、使用される帯の耐久性が、帯自体の強度に基づくのであり、帯とシートとの相互接続の強度には基づかないことを確保する方法を提供することである。
【０００５】
本明細書で開示される嵌め込み式シートの本発明者によって発明された既知の嵌め込み式シートは、米国特許第５，５１３，４０３号（第’４０３号特許）に記載され、その開示は、参照により本明細書に組み込むものとする。第’４０３号特許の図１および図８を参照すると、第’４０３号特許で開示された嵌め込み式シートは、底面１２および反対側の上面１４を有する従来の矩形マットレス１０に装着された嵌め込み式シート２０を含む。シート２０は天部分２２、対向する側部分２４、および対向する端部分２６を含む。シート２０の側部分および端部分は、下縁で終了する下縁部分を有し、図２および図３で見られるように、各側部分２４は下縁２４”で終了する下部分２４’を有する。
【０００６】
第’４０３号特許の図２〜図４で示すように、弾性結合部４０は、従来の材料で形成され、シート２０の連続する下縁の周囲に配置され、シートの下縁の全長に沿って延びる。結合部４０は、さらに、内側に面する表面４４および外側に面する表面４６を含む。シート２０は、さらに、４つの類似の弾性帯５０を含み、これらの帯はそれぞれ、シートの隅部の１つを横切って対角線状に延びる。図６で示すように、各帯は、シート２０の側部分の１つに固定された１つの端部、およびシートの隣接する端部分に固定された反対端を有する。
【０００７】
図２を参照すると、帯５０の端部をシートの側部分に固定するために、帯５０の端部５０’を最初に、側部分２４の内側に面する表面と結合部４０との間に挟み、ステッチ線４２によって所定の位置に固定する。それ故、各帯５０は、側部分２４の下縁２４”に隣接して配置される端部縁５０”で終了する。帯５０の端部がシートから確実に引き離されないようにするために、かんぬき止め５４の形態の補足的固定手段を設ける。特に図３に示すように、各帯５０の端部は、結合部４０の上縁上で帯５０を折り畳み、次にそれを結合部の内側に面する表面４４に当てて位置決めすることにより、シートに固定される。かんぬき止め５４は、側部分２４の関連する下縁部分を通り、側部分２４の下縁部分の対向する側部に位置する２層の結合部を通り、結合部の内側部分の反対側に位置する２層の帯５０を通って延びる。
【０００８】
上記構造に基づき、シート２０を主に下にあるマットレスを持ち上げるために使用すると、帯の端部がシートから引き剥がされる前に、弾性帯５０が中間点で分離し、破断される。
【０００９】
第’４０３号特許に記載された嵌め込み式シート構造は、大部分の操作で対角線状弾性帯の接続点では十分な強度を有するが、特定の状況および特定の異常な使用時には、弾性帯５０が嵌め込み式シートから引き抜かれ、それ故接続点にてシートを引き裂くことがある。特定の製造要件では、第’４０３号特許に記載された嵌め込み式シート構造は、経済的に製造が非常に困難である。また、特定の嵌め込みおよび仕上げ要件では、第’４０３号特許に記載された嵌め込み式シート構造は、しわがない嵌め込みおよび仕上げが不十分なことがある。
【００１０】
それ故、隅部に対角線状に延びる弾性帯を有する改良型の嵌め込み式シートで、弾性帯が改良された接続方法によって接続され、したがって異常に使用されても帯がシートに接続したままであるシートに対する要求が依然としてある。さらに、第’４０３号特許で開示された弾性帯および接続技術と比較して、より簡単に接続され、使用原料がより少ない対角線状に延びる弾性帯を有し、第’４０３号特許のそれより簡単かつ経済的に製造され、人間工学的に優れた改良型の嵌め込み式シートに対する要求が依然としてある。
【００１１】
本発明は、弾性帯が先行技術のそれより優れた強度および耐久性を有する状態で、その隅部で対角線状に延びる弾性帯を有する改良型の嵌め込み式カバーを提供することにより、先行技術の嵌め込み式シートの問題を解決し、その欠点および欠損を克服する。
【特許文献１】米国特許第５，５１３，４０３号
【発明の開示】
【発明が解決しようとする課題】
【００１２】
それ故、本発明の目的は、使用位置にある場合に、平滑な隅部で整然として引き締まった見かけを提供するように、任意のマットレスの下に滑り嵌めを有する改良型の嵌め込み式カバーを提供することである。
【００１３】
本発明の別の目的は、容易にマットレスに付けることができるが、カバーの２つの隅部を持ち上げて重いマットレスの１つの端部を上げても、偶発的に急に外れることがない改良型の嵌め込み式カバーを提供することである。
【００１４】
本発明のさらに別の目的は、異常に使用されても帯がカバーに接続したままであるように、改良型の接続方法によって接続された対角線状に延びる弾性帯を有する改良型の嵌め込み式カバー、および先行技術のものより簡単に接続され、少ない原料を使用し、人間工学的に優れている、対角線状に延びる弾性帯を提供することである。
【課題を解決するための手段】
【００１５】
本発明は、嵌め込み式シートであるか、嵌め込み式マットレス・パッドであるか、またはマットレス用の他の嵌め込み式寝具である嵌め込み式マットレス・カバーを提供することにより、上述した例示的態様を達成し、カバーは、天部分、側部分および端部分を有する布地本体を含む。側部分および端部分は、側部分または端部分から第１の長さまで上方向に折り畳み、第２の長さまで下方向に折り畳んだ布地によって画定された下縁部分を有することができ、ここで第１の長さは第２の長さより大きい。上方向および下方向に折り畳んだ部分は、全体的に逆Ｊ字形またはＵ字形部分を画定することができる。側部分および端部分の下縁を相互に接合して、カバーの連続した下縁を形成することができる。弾性結合部を、下方向に折り畳んだ部分の下に配置し、それによって下方向に折り畳んだ部分で部分的に囲むことができる。弾性結合部は、カバーの下縁の長さに沿って少なくとも部分的に延びることができる。結合部を、ステッチによって下縁部分に固定することができる。弾性帯は、カバーの各隅に配置することができる。各帯は、関連する隅を横切って対角線状に延び、その対向する端部は、側部分の１つに隣接し、および隣接端部分の１つに隣接してそれぞれ固定することができる。帯は、ステッチによっておよび／または補足的固定手段によって所定の位置に固定して、帯がカバーから確実に引き離されないようにすることができる。
【００１６】
上述した嵌め込み式カバーでは、各帯の各端部を、下縁部分の１つと結合部との間に挟み、カバーの下縁に隣接して配置された端部縁で終了させることができる。各帯の各端部を、下方向に折り畳んだ部分の上端の上を通って、下縁部分の内層に当てて下方向に折り畳むことができる。各帯の各端部の補足的固定手段は、帯の折り畳んだ層、下縁部分の内層、結合部、下縁部分の１つと結合部の間に挟まれた帯の層、および下縁部分の外層を通って延びる固定ステッチを含むことができる。
【００１７】
代替構成では、上述した嵌め込み式カバーの場合には、各帯の各端部を、下縁部分の１つと結合部の間に挟み、カバーの下縁に隣接して配置された端部縁で終了させることができる。各帯の各端部の補足的固定手段は、下縁部分の内層、結合部、下縁部分の１つと結合部の間に挟まれた帯の層、および下縁部分の外層を通って延びる固定ステッチを含むことができる。
【００１８】
別の代替構成では、各帯の各端部を、下縁部分の内層に隣接して配置し、カバーの下縁に隣接して配置された端部縁で終了させることができる。各帯の各端部は、全体的にＵ字形または逆Ｕ字形の構成で折り畳むことができる。各帯の各端部の補足的固定手段は、帯の２つの折り畳んだ層、下縁部分の内層、結合部、および下縁部分の外層を通って延びる固定ステッチを含むことができる。
【００１９】
さらに別の代替構成では、各帯の各端部を、下縁部分の内層に隣接して配置し、下方向に折り畳んだ部分の上縁または下縁に隣接して配置された端部縁で終了させることができる。各帯の各端部の補足的固定手段は、帯の層、下縁部分の内層、結合部、および下縁部分の外層を通って延びる固定ステッチを含むことができる。
【００２０】
本発明はさらに、嵌め込み式シートであるか、嵌め込み式マットレス・パッドであるか、またはマットレス用の他の嵌め込み式寝具である嵌め込み式マットレス・カバーを提供し、カバーは、天部分、側部分および端部分を有する布地本体を含む。側部分および端部分は、側部分または端部分から下縁で終了する布地によって画定された下縁部分を有することができる。布結合部は、内部の逆Ｊ字形またはＵ字形の部分および外部の鏡像のように対称形となる逆Ｊ字形またはＵ字形の部分を含むことができる。Ｊ字形またはＵ字形部分はそれぞれ、第１の長さまで上方向に折り畳み、第２の長さまで下方向に折り畳んだ布地材料で作成することができ、第１の長さは第２の長さより大きい。側部分および端部分の下縁は、相互に接合して、カバーの連続した下縁を形成することができる。弾性結合部を、内部Ｊ字形またはＵ字形部分の下方向に折り畳んだ部分の下に配置し、それによって下方向に折り畳んだ部分で部分的に囲むことができる。弾性結合部は、カバーの下縁の長さに沿って少なくとも部分的に延び、結合部は、ステッチによって下縁部分に固定することができる。弾性帯は、カバーの各隅に配置することができる。各帯は、関連する隅を横切って対角線状に延び、その対向する端部は、側部分の１つに隣接し、および隣接端部分の１つに隣接してそれぞれ固定することができる。帯は、ステッチによっておよび／または補足的固定手段によって所定の位置に固定して、帯がカバーから確実に引き離されないようにすることができる。
【００２１】
上述した嵌め込み式カバーでは、各帯の各端部を、下縁部分の１つと結合部との間に挟み、カバーの下縁に隣接して配置された端部縁で終了させることができる。各帯の各端部を、下方向に折り畳んだ部分の上端の上を通って、下縁部分の内層に当てて下方向に折り畳むことができる。各帯の各端部の補足的固定手段は、帯の折り畳んだ層、内部Ｊ字形またはＵ字形部分の層、結合部、下縁部分の１つと結合部の間に挟まれた帯の層、下縁部分の層、および外部Ｊ字形またはＵ字形部分の層を通って延びる固定ステッチを含むことができる。
【００２２】
代替構成では、各帯の各端部を、下縁部分の１つと結合部の間に挟み、カバーの下縁に隣接して配置された端部縁で終了させることができる。各帯の各端部の補足的固定手段は、内部Ｊ字形またはＵ字形部分の層、結合部、下縁部分の１つと結合部の間に挟まれた帯の層、下縁部分の層、および外部Ｊ字形またはＵ字形部分の層を通って延びる固定ステッチを含むことができる。
【００２３】
別の代替構成では、各帯の各端部を、内部Ｊ字形またはＵ字形部分に隣接して配置し、全体的にカバーの下縁に隣接して配置された端部縁で終了させることができる。各帯の各端部は、全体的にＵ字形または逆Ｕ字形の構成で折り畳むことができる。各帯の各端部の補足的固定手段は、帯の２つの折り畳んだ層、内部Ｊ字形またはＵ字形部分の層、結合部、下縁部分の層、および外部Ｊ字形またはＵ字形部分の層を通って延びる固定ステッチを含むことができる。
【００２４】
さらに別の代替構成では、各帯の各端部を、内部Ｊ字形またはＵ字形部分に隣接して配置し、下方向に折り畳んだ部分の上縁または下縁に隣接して配置された端部縁で終了させることができる。各帯の各端部の補足的固定手段は、帯の層、内部Ｊ字形またはＵ字形部分の層、結合部、下縁部分の層、および外部Ｊ字形またはＵ字形部分の層を通って延びる固定ステッチを含むことができる。
【００２５】
また、本発明は、嵌め込み式シートであるか、嵌め込み式マットレス・パッドであるか、またはマットレス用の他の嵌め込み式寝具である嵌め込み式マットレス・カバーを提供し、カバーは、天部分、側部分および端部分を有する布地本体を含む。側部分および端部分は、側部分または端部分から第１の長さまで上方向に折り畳み、第２の長さまで下方向に折り畳んだ布地によって画定された下縁部分を有することができ、ここで第１の長さは第２の長さと実質的に同じである。上方向および下方向に折り畳んだ部分は、全体的に逆Ｕ字形またはＪ字形部分を画定する。側部分および端部分の下縁を相互に接合して、カバーの連続した下縁を形成することができる。弾性結合部を、下方向に折り畳んだ部分に隣接して配置し、カバーの下縁の長さに沿って少なくとも部分的に延びることができる。結合部を、ステッチによって下縁部分に固定することができる。弾性帯は、カバーの各隅に配置することができる。各帯は、関連する隅を横切って対角線状に延び、その対向する端部は、側部分の１つに隣接し、および隣接端部分の１つに隣接してそれぞれ固定することができる。帯は、ステッチによっておよび／または補足的固定手段によって所定の位置に固定して、帯がカバーから確実に引き離されないようにすることができる。
【００２６】
上述した嵌め込み式カバーでは、各帯の各端部を、下縁部分の１つと結合部との間に挟み、カバーの下縁に隣接して配置された端部縁で終了させることができる。各帯の各端部を、下方向に折り畳んだ部分の上端の上を通って、下縁部分の内層に当てて下方向に折り畳むことができる。各帯の各端部の補足的固定手段は、帯の折り畳んだ層、Ｕ字形またはＪ字形部分の層、結合部、下縁部分の１つと結合部の間に挟まれた帯の層、および下縁部分の外層を通って延びる固定ステッチを含むことができる。
【００２７】
代替構成では、各帯の各端部を、下縁部分の１つと結合部の間に挟み、カバーの下縁に隣接して配置された端部縁で終了させることができる。各帯の各端部の補足的固定手段は、Ｕ字形またはＪ字形部分の層、結合部、下縁部分の１つと結合部の間に挟まれた帯の層、および下縁部分の外層を通って延びる固定ステッチを含むことができる。
【００２８】
別の代替構成では、各帯の各端部を、下縁部分の内層に隣接して配置し、全体的にカバーの下縁に隣接して配置された端部縁で終了させることができる。各帯の各端部は、全体的にＵ字形または逆Ｕ字形の構成で折り畳むことができる。各帯の各端部の補足的固定手段は、帯の２つの折り畳んだ層、Ｕ字形またはＪ字形部分の層、結合部、および下縁部分の外層を通って延びる固定ステッチを含むことができる。
【００２９】
さらに別の代替構成では、各帯の各端部を、下縁部分の内層に隣接して配置し、下方向に折り畳んだ部分の上縁または下縁に隣接して配置された端部縁で終了させることができる。各帯の各端部の補足的固定手段は、帯の関連する層、Ｕ字形またはＪ字形部分の層、結合部、および下縁部分の外層を通って延びる固定ステッチを含むことができる。
【００３０】
本発明はさらに、嵌め込み式シートであるか、嵌め込み式マットレス・パッドであるか、またはマットレス用の他の嵌め込み式寝具である嵌め込み式マットレス・カバーを提供し、カバーは、天部分、側部分および端部分を有する布地本体を含む。側部分および端部分は、側部分または端部分から下縁で終了する布地によって画定された下縁部分を有することができる。側部分および端部分の下縁は相互に接合して、カバーの連続した下縁を形成することができる。弾性結合部を、下縁部分に隣接して配置し、カバーの下縁の長さに沿って少なくとも部分的に延ばすことができる。結合部は、ステッチによって下縁部分に固定することができる。弾性帯は、カバーの各隅に配置することができる。各帯は、関連する隅を横切って対角線状に延び、その対向する端部は、それぞれ側部分に隣接して配置される弾性結合部に隣接し、および隣接端部分の１つに隣接して固定することができる。帯は、ステッチによっておよび／または補足的固定手段によって所定の位置に固定して、帯がカバーから確実に引き離されないようにすることができる。
【００３１】
上述した嵌め込み式カバーでは、ステッチはかがり縫いであってもよい。各帯の各端部は、カバーの下縁に隣接して配置された端部縁で終了することができる。各帯の各端部を、全体的にＵ字形または逆Ｕ字形の構成で折り畳むことができる。各帯の各端部の補足的固定手段は、帯の２つの折り畳んだ層、結合部、および下縁部分の層を通って延びる固定ステッチを含むことができる。
【００３２】
代替構成では、各帯の各端部を、弾性結合部の上端部または下端部に隣接して配置された端部縁で終了させることができる。各帯の各端部の補足的固定手段は、帯の層、結合部、および下縁部分の層を通って延びる固定ステッチを含むことができる。
【００３３】
また、本発明は、嵌め込み式シートであるか、嵌め込み式マットレス・パッドであるか、またはマットレス用の他の嵌め込み式寝具である嵌め込み式マットレス・カバーを提供する。カバーは、天部分、側部分および端部分を有する布地本体を含むことができる。側部分および端部分は、側部分または端部分から下縁で終了する布地によって画定された下縁部分を有することができる。側部分および端部分の下縁を相互に接合して、カバーの連続した下縁を形成することができる。弾性結合部を、折り畳んだ構成でカバーの下縁の内側および外側に配置し、それによって内部および外部弾性結合層を画定することができる。弾性結合部は、カバーの下縁の長さに沿って少なくとも部分的に延びることができる。結合部を、ステッチによって下縁部分に固定することができる。弾性帯は、カバーの各隅に配置することができる。各帯は、関連する隅を横切って対角線状に延び、その対向する端部は、側部分の一方に隣接し、および隣接する端部分の一方に隣接してそれぞれ固定することができる。帯は、ステッチの少なくとも１つによって、および補足的固定手段によって所定の位置に固定して、帯がカバーから確実に引き離されないようにすることができる。
【００３４】
上述した嵌め込み式カバーでは、各帯の各端部を、下縁部分の１つと結合部との間に挟み、カバーの下縁に隣接して配置された端部縁で終了させることができる。各帯の各端部の補足的固定手段は、内部弾性結合層、下縁部分の１つと結合部の間に挟まれた帯の層、下縁部分の層、および外部弾性結合層を通って延びる固定ステッチを含むことができる。
【００３５】
代替構成では、各帯の各端部を、内部弾性結合層に隣接して配置し、全体的にカバーの下縁に隣接して配置された端部縁で終了させることができる。各帯の各端部は、全体的にＵ字形または逆Ｕ字形の構成で折り畳むことができる。各帯の各端部の補足的固定手段は、帯の２つの折り畳んだ層、内部弾性結合層、下縁部分の層、および外部弾性結合層を通って延びる固定ステッチを含むことができる。
【００３６】
別の代替構成では、各帯の各端部を、内部弾性結合層に隣接して配置し、内部弾性結合層の上縁または下縁に隣接して配置された端部縁で終了させることができる。各帯の各端部の補足的固定手段は、帯の層、内部弾性結合層、下縁部分の層、および外部弾性結合層を通って延びる固定ステッチを含むことができる。
【００３７】
本発明の追加の特徴、利点および実施形態は、以下の詳細な説明、図面、および請求の範囲で述べられるか、その考察から明白にすることができる。さらに、本発明の以上の発明の開示および以下の詳細な説明は両方とも例示的であり、請求の範囲にあるような本発明の範囲を制限することなく、さらなる説明のために提供するよう意図されていることを理解されたい。
【００３８】
本発明をさらに理解するように含まれ、本明細書に組み込まれて、その一部を構成する添付の図面は、本発明の好ましい実施形態を示し、詳細な説明とともに本発明の原理を説明する働きをする。
【発明を実施するための最良の形態】
【００３９】
次に類似の参照番号が幾つかの図を通して対応する部品を指す図面を参照すると、図１〜図９は本発明によりその隅部に対角線状に延びる弾性帯を有する改良型の嵌め込み式カバーの第１から第４の実施形態を示し、実施形態はそれぞれ１０、１００、２００、３００および４００と指定される。
【００４０】
図１、図２（ａ）〜図２（ｇ）、および図７〜図９を参照し、次に嵌め込み式カバー１０の第１の実施形態について詳細に説明する。
【００４１】
特に図１で示すように、複数の対角線状の弾性帯１２を含む嵌め込み式カバー１０が、底面１６および対向する上面１８を有する従来の矩形マットレス１４に装着された状態で図示されている。嵌め込み式カバー１０は、通常、綿、綿混またはサテンなどの任意の適切な布地で形成した本体２０を備える。本体２０は、天部分２２、対向する側部分２４および対向する端部分２６を含むことができる。隣接する側部分および端部分は、４つの縫い目で通常の方法で縫い合わせ、４つの垂直隅部２８を形成することができる。図２（ａ）で見られるように、垂直隅部を画定する各縫い目は、直線のステッチ３０および従来のオーバロック、安全ステッチ３２または他の縫い目固定方法を含むことができる。カバー１０の水平隅（図示せず）にも、同じことが当てはまる。別の方法としては、当技術分野で知られている様々な他の水平または垂直隅部形成方法を使用することができる。さらに、本明細書で説明する嵌め込み式カバーでは、垂直または水平隅部の代わりに嵌め込み式カバー１０は、単層または多層の布地が隅部なしの嵌め込み式カバーを形成する「隅なし」変種であってもよい。
【００４２】
図２（ａ）を参照すると、各側部分２４、および同様に各端部分２６は、単層の弾性結合部３８を部分的に囲み、しっかり固定するフック３６を形成するように、逆Ｊ字形構成で上方向に折り畳んだ底区間３４を含むことができる。図２（ａ）に示した逆Ｊ字形構成の代わりに、底区間３４は、逆Ｕ字形構成（図示せず）で上方向に折り畳んでもよいことに留意されたい。弾性結合部３８は、嵌め込み式カバーのこのような弾性結合材料のために従来使用されている材料で形成することができ、カバーの連続した下縁の周囲に配置し、カバーの下縁の長さに沿って少なくとも部分的に延ばすことができる。以下でさらに詳細に説明するように、側部分２４のＪ字形のフック３６の下に固定すると、結合部３８を側部分２４の外層４０に隣接させ、さらにフック３６に隣接する内層４２へとステッチ４４によって固定することができる。カバー１０の各端部分２６は、上述したフック構成を含む類似の下部分および下縁を有することができる。側部分および端部分２４、２６それぞれの下縁は、個々の部分の長手方向に延び、本体２０の天部分２２から隔置することができる。側部分２４の下縁を端部分２６の下縁と接合して、カバーの連続的下縁を形成することができる。
【００４３】
図２（ａ）に関して上述したカバー１０の第１の実施形態の一般的な構成では、次に前述したＪ字形のフック構成を、弾性帯１２の取り付け方法を説明するベースとして使用する。
【００４４】
特に図２（ａ）および図２（ｂ）を参照すると、図２（ｂ）に示したカバー１０の実施形態の場合には、結合部３８を所定の位置に固定するステッチ４４を適用する前に、弾性帯１２の端部４６を、側部分２４の外層４０と弾性結合部３８の間に最初に挿入し、挟むことができる。弾性帯１２および弾性結合部３８が図２（ｂ）に示したように配置された状態で、側部分２４の外層４０、弾性帯１２、弾性結合部３８、およびＪ字形のフック３６を含む層を含むアセンブリ全体を、ステッチ４４で縫うことができる。
【００４５】
帯１２の端部４６が異常な使用時にカバー１０から確実に引き離されないようにするために、補足的固定手段を設けることができる。図２（ｂ）を参照すると、ステッチ４４によって帯１２を縫った後、帯１２をＪ字形のフック３６の上縁上で折り畳み、内層４２の内側に面する表面に当てて位置決めすることができる。弾性帯１２をさらに固定するために、次に、固定ステッチが弾性帯１２の第１の層、側部分２４の内層４２、弾性結合部３８、弾性帯１２の予め挿入した端部４６を含む層、および側部分２４の外層４０を通して延びるように、従来の固定ステッチ機械で、補足的固定手段を備える固定ステッチ４８を形成することができる。固定ステッチ４８は、例えばかんぬき止め、ランニング・タック、直線ステッチまたは十字線タック、余分なステッチ、または弾性帯１２を取り付け、保持するために追加の固定を提供する任意の他の形態のステッチを含むことができることに留意されたい。
【００４６】
各帯１２の各端部は、図２（ｂ）で示すような構造でカバーの関連する下部分に固定されることを理解されたい。さらに、図１で示すように、４つの類似の弾性帯１２を設けてよく、これらの帯はそれぞれ結合部と同じ材料で形成し、カバーの隅部の１つを横切って対角線状に延びる。別の方法としては、当業者には明白であるように、各帯は、結合部に対して弾性を変化させるために、結合部とは異なる材料で形成することができる。各帯は、その一方端がカバーの側部分２４の１つに固定され、反対端がカバーの隣接する端部分２６に固定される。
【００４７】
上述し、図２（ａ）および図２（ｂ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、Ｊ字形のフック３６を設けると、弾性結合部３８をしっかり囲み、結合部３８が緩むのを防止し、さらに弾性結合部３８を囲み、したがってカバー１０の布地外層４０に実質的にしわがなく、マットレスに整然として確実に嵌め込まれる。人間工学的に、図２（ａ）および図２（ｂ）の構造は、また、優れた嵌め込み式弾性カバーを提供し、ここでは布地外層４０が弾性帯１２および弾性結合部３８を囲み、したがってしわがない嵌め込みに加えて、弾性帯１２および弾性結合部３８は、カバー１０の全体的外面の視界から隠れてしまう。
【００４８】
次に、嵌め込み式カバー１０の第１の実施形態の弾性帯１２の第１の代替取り付け方法について、図２（ａ）および図２（ｃ）に関して詳細に説明する。
【００４９】
特に図２（ａ）および図２（ｃ）を参照すると、図２（ｂ）の弾性帯取り付け方法で説明したように、結合部３８を所定の位置に固定するためにステッチ４４を適用する前に、図２（ｃ）で示したカバー１０の実施形態では、弾性帯１２の端部４６を、側部分２４の外層４０と弾性結合部３８の間に最初に挿入し、挟むことができる。弾性帯１２および弾性結合部３８が図２（ｃ）で示したように配置された状態で、側部分２４の外層４０、弾性帯１２、弾性結合部３８、およびＪ字形のフック３６を含む層を含むアセンブリ全体を、ステッチ４４で縫うことができる。
【００５０】
図２（ｂ）の弾性帯取り付け方法について説明したように、帯１２の端部４６が異常な使用時にカバー１０から確実に引き離されないようにするために、補足的固定手段を設けることができる。図２（ｃ）を参照すると、ステッチ４４で帯１２を縫った後、固定ステッチが側部分２４の内層４２、弾性結合部３８、帯１２の予め挿入した端部４６を含む層、および側部分２４の外層４０を通って延びるように、従来の固定ステッチ機械で、補足的固定手段を備える固定ステッチ４８を形成することができる。
【００５１】
図２（ｂ）の構造のように、各帯１２の各端部は、図２（ｃ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００５２】
次に、嵌め込み式カバー１０の第１の実施形態で弾性帯１２を取り付ける第２の代替方法について、図２（ａ）、図２（ｄ）および図２（ｆ）に関して詳細に説明する。
【００５３】
特に図２（ａ）および図２（ｄ）を参照すると、Ｊ字形のフック３６を含む層、弾性結合部３８、および側部分２４の外層４０を通してステッチ４４を施した後、図２（ｄ）で示すカバー１０の実施形態では、弾性帯１２の区間６２をカバー１０の内層４２に当てて折り畳むことができる。帯１２の端部４６が異常な使用時にカバー１０から確実に引き離されないようにするために、図２（ｂ）の弾性帯取り付け方法について説明したように、補足的固定手段を設けることができる。図２（ｄ）を参照すると、ステッチ４４で縫った後、固定ステッチが弾性帯１２の折り畳んだ層、側部分２４の内層４２、弾性結合部３８、および側部分２４の外層４０を通って延びるように、従来の固定ステッチ機械で、補足的固定手段を備える固定ステッチ４８を形成することができる。
【００５４】
図２（ｄ）の実施形態と比較すると、図２（ｆ）の実施形態では、弾性帯１２を図２（ｄ）とは逆方向でカバー１０の内層４２に当てて折り畳み、その後に図２（ｄ）の実施形態について上述したように固定ステッチ４８で固定することができる。
【００５５】
図２（ｂ）の構造のように、各帯１２の各端部は、図２（ｄ）および図２（ｆ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００５６】
次に、嵌め込み式カバー１０の第１の実施形態で弾性帯１２を取り付ける第３の代替方法について、図２（ａ）、図２（ｅ）および図２（ｇ）に関して詳細に説明する。
【００５７】
特に図２（ａ）および図２（ｅ）を参照すると、Ｊ字形のフック３６を含む層、弾性結合部３８、および側部分２４の外層４０を含む層を通してステッチ４４を施した後、図２（ｅ）で示すカバー１０の実施形態では、帯１２をカバー１０の内層４２に当てて配置した状態で、弾性帯１２の端部４６をＪ字形のフック３６の上縁に隣接して配置することができる。帯１２の端部４６が異常な使用時にカバー１０から確実に引き離されないようにするために、図２（ｂ）の弾性帯取り付け方法について説明したように、補足的固定手段を設けることができる。図２（ｅ）を参照すると、ステッチ４４で縫った後、固定ステッチが弾性帯１２の層、側部分２４の内層４２、弾性結合部３８、および側部分２４の外層４０を通って延びるように、従来の固定ステッチ機械で、補足的固定手段となる固定ステッチ４８を形成することができる。
【００５８】
図２（ｅ）の実施形態と比較すると、図２（ｇ）の実施形態では、弾性帯１２を図２（ｅ）とは逆方向でカバー１０の内層４２に当てて取り付け、その後に図２（ｅ）の実施形態について上述したように固定ステッチ４８で固定することができる。
【００５９】
図２（ｂ）の構造のように、各帯１２の各端部は、図２（ｅ）および図２（ｇ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００６０】
上述し、図２（ａ）および図２（ｃ）〜図２（ｇ）で示したこの構造では、図２（ｂ）の構造のように、急に引っ張るなどの異常な使用時においても、弾性帯１２がカバーに接続されたままであり、稀な場合のみ、帯の端部がカバーから引き剥がされる前に、中間点で分離し、破断される。さらに、Ｊ字形のフック３６を設けると、弾性結合部３８をしっかり囲み、結合部３８が緩むのを防止し、さらに弾性結合部３８を囲み、したがってカバー１０の布地外層４０に実質的にしわがなく、マットレスに整然として確実に嵌め込まれる。人間工学的に、図２（ａ）および図２（ｃ）〜図２（ｇ）の構造は、また、優れた嵌め込み式弾性カバーを提供し、布地外層４０が弾性帯１２および弾性結合部３８を囲み、したがってしわがない嵌め込みに加えて、弾性帯１２および弾性結合部３８は、カバー１０の外面から隠れてしまう。
【００６１】
次に、図１、図３（ａ）〜図３（ｇ）および図７〜図９を参照して、嵌め込み式カバー１００の第２の実施形態について詳細に説明する。
【００６２】
特に図１を参照すると、本体２０、天部分２２、対向する側部分２４、対向する端部分２６、垂直隅部２８、ステッチ３０およびオーバロックまたは安全ステッチ３２などの要素が、図３（ａ）で示すように嵌め込み式カバー１０の第１の実施形態について上述したものと類似した状態で、各側部分２４、および同様に各端部分２６は、通常、端部３５で終了する底区間３４を含むことができる。上記で説明したように、当技術分野で知られている様々な他の水平または垂直隅部形成方法を使用することができ、本明細書で説明する嵌め込み式カバーでは、垂直または水平隅部の代わりに嵌め込み式カバー１０は、単層または多層の布地が隅部なしの嵌め込み式カバーを形成する「隅なし」変種であってもよい。図３（ａ）の実施形態では、布結合部３７は、内部Ｊ字形のフック３６’が単層の弾性結合部３８を部分的に囲んで、それをしっかり固定し、対向する外部Ｊ字形のフック３６”が側部分２４の外面に当てて配置された状態で、鏡像のように対称形となるフックを形成するように、鏡像のように対称形となる逆Ｊ字形構成で折り畳むことができる。図３（ａ）で示した逆Ｊ字形構成の代わりに、布結合部３７は逆Ｕ字形構成（図示せず）で上方向に折り畳んでもよいことに留意されたい。嵌め込み式カバー１０の第１の実施形態について上記で説明したように、弾性結合部３８は、嵌め込み式カバーのこのような弾性結合材料に使用する従来の材料で形成することができ、カバーの連続した下縁の周囲に配置し、カバーの下縁の長さに沿って少なくとも部分的に延ばすことができる。布結合部３７の内部Ｊ字形のフック３６’の下に固定すると、以下でさらに詳細に説明するように、結合部３８をステッチ４４によって側部分２４に隣接して、さらに内部フック３６’に固定することができる。カバー１００の各端部分２６は、自身に取り付けられた類似の布結合部３７を有し、上述した鏡像のように対称形となるフック構成を含むことができる。側部分および端部分２４、２６それぞれの下縁は、個々の部分の長手方向に延び、本体２０の天部分２２から隔置することができる。側部分２４の下縁を、端部分２６の下縁と接合して、カバーの連続した下縁を形成することができる。
【００６３】
図３（ａ）に関して上述したカバー１００の第２の実施形態の一般的な構成では、次に前述した鏡像のように対称形となるＪ字形のフック構成を、弾性帯１２の取り付け方法を説明するベースとして使用する。
【００６４】
特に図３（ａ）および図３（ｂ）を参照すると、図３（ｂ）に示したカバー１００の実施形態の場合には、結合部３８を所定の位置に固定するステッチ４４を適用する前に、弾性帯１２の端部４６を、側部分２４と弾性結合部３８の間に最初に挿入し、挟むことができる。弾性帯１２および弾性結合部３８が図３（ｂ）に示したように配置された状態で、外部Ｊ字形のフック３６”を含む層、側部分２４、弾性帯１２、弾性結合部３８、および内部Ｊ字形のフック３６’を含む層を含むアセンブリ全体を、ステッチ４４で縫うことができる。
【００６５】
帯１２の端部４６が異常な使用時にカバー１００から確実に引き離されないようにするために、補足的固定手段を設けることができる。図３（ｂ）を参照すると、ステッチ４４によって帯１２を縫った後、帯１２を内部Ｊ字形のフック３６’の上縁上で折り畳み、Ｊ字形のフック３６’を含む層の内側に面する表面に当てて位置決めすることができる。弾性帯１２をさらに固定するために、次に、固定ステッチが弾性帯１２の第１の層、内部Ｊ字形のフック３６’を形成する布地層、弾性結合部３８、帯１２の予め挿入した端部４６を含む層、側部分２４、および外部Ｊ字形のフック３６”を形成する布地層を通して延びるように、従来の固定ステッチ機械で、補足的固定手段となる固定ステッチ４８を形成することができる。
【００６６】
各帯１２の各端部は、図３（ｂ）で示すような構造でカバーの関連する下部分に固定されることを理解されたい。さらに、図１で示すように、４つの類似の弾性帯１２を設けてよく、これらの帯はそれぞれ結合部と同じ材料で形成し、カバーの隅部の１つを横切って対角線状に延びる。別の方法としては、当業者には明白であるように、各帯は、結合部に対して弾性を変化させるために、結合部とは異なる材料で形成することができる。各帯は、その一方端がカバーの側部分２４の１つに固定され、反対端がカバーの隣接する端部分２６に固定される。
【００６７】
上述し、図３（ａ）および図３（ｂ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、内部Ｊ字形のフック３６’を設けると、弾性結合部３８をしっかり囲み、結合部３８が緩むのを防止し、さらに外部Ｊ字形のフック３６”を含み、したがってカバー１００の側部分２４に実質的にしわがなく、マットレスに整然として確実に嵌め込まれる。人間工学的に、図３（ａ）および図３（ｂ）の構造は、また、優れた嵌め込み式弾性カバーを提供し、外部および内部Ｊ字形のフック３６”および３６’がそれぞれ弾性帯１２および弾性結合部３８を囲んで、これを隠し、したがってしわがない嵌め込みに加えて、弾性帯１２および弾性結合部３８は、カバー１００の外面から隠れてしまう。
【００６８】
次に、嵌め込み式カバー１００の第２の実施形態の弾性帯１２の第１の代替取り付け方法について、図３（ａ）および図３（ｅ）に関して詳細に説明する。
【００６９】
特に図３（ａ）および図３（ｃ）を参照すると、図３（ｂ）の弾性帯取り付け方法で説明したように、結合部３８を所定の位置に固定するためにステッチ４４を適用する前に、図３（ｃ）で示したカバー１００の実施形態では、弾性帯１２の端部４６を、側部分２４と弾性結合部３８の間に最初に挿入し、挟むことができる。弾性帯１２および弾性結合部３８が図３（ｃ）で示したように配置された状態で、外部Ｊ字形のフック３６”、側部分２４、弾性帯１２、弾性結合部３８、および内部Ｊ字形のフック３６’を含むアセンブリ全体を、ステッチ４４で縫うことができる。
【００７０】
図３（ｂ）の弾性帯取り付け方法について説明したように、帯１２の端部４６が異常な使用時にカバー１００から確実に引き離されないようにするために、補足的固定手段を設けることができる。図３（ｃ）を参照すると、ステッチ４４で帯１２を縫った後、固定ステッチ４８が内部Ｊ字形のフック３６’を形成する布地層、弾性結合部３８、帯１２の予め挿入した端部４６を含む層、側部分２４、および外部Ｊ字形のフック３６”を形成する布地層を通って延びるように、従来の固定ステッチ機械で、補足的固定手段となる固定ステッチ４８を形成することができる。
【００７１】
図３（ｂ）の構造のように、各帯１２の各端部は、図３（ｃ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００７２】
次に、嵌め込み式カバー１００の第２の実施形態で弾性帯１２を取り付ける第２の代替方法について、図３（ａ）、図３（ｄ）および図３（ｆ）に関して詳細に説明する。
【００７３】
特に図３（ａ）および図３（ｄ）を参照すると、内部Ｊ字形のフック３６’を含む層、弾性結合部３８、側部分２４、および外部Ｊ字形のフック３６”を含む層を通してステッチ４４を施した後、図３（ｄ）で示すカバー１００の実施形態では、弾性帯１２の区間６２を内部Ｊ字形のフック３６’の布地に当てて折り畳むことができる。帯１２の端部４６が異常な使用時にカバー１００から確実に引き離されないようにするために、図３（ｂ）の弾性帯取り付け方法について説明したように、補足的固定手段を設けることができる。図３（ｄ）を参照すると、ステッチ４４で縫った後、固定ステッチ４８が弾性帯１２の折り畳んだ層、内部Ｊ字形のフック３６’を形成する布地層、弾性結合部３８、側部分２４、および外部Ｊ字形のフック３６”を形成する布地層を通って延びるように、従来の固定ステッチ機械で、補足的固定手段となる固定ステッチ４８を形成することができる。
【００７４】
図３（ｄ）の実施形態と比較すると、図３（ｆ）の実施形態では、弾性帯１２を図３（ｄ）とは逆方向で内部Ｊ字形のフック３６’を形成する布地層に当てて折り畳み、その後に図３（ｄ）の実施形態について上述したように固定ステッチ４８で固定することができる。
【００７５】
図３（ｂ）の構造のように、各帯１２の各端部は、図３（ｄ）および図３（ｆ）で示すような構造でカバーの関連する下部分に固定される。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００７６】
次に、嵌め込み式カバー１００の第２の実施形態で弾性帯１２を取り付ける第３の代替方法について、図３（ａ）、図３（ｅ）および図３（ｇ）に関して詳細に説明する。
【００７７】
特に図３（ａ）および図３（ｅ）を参照すると、内部Ｊ字形のフック３６’を含む層、弾性結合部３８、側部分２４、および外部Ｊ字形のフック３６”を含む層を通してステッチ４４を施した後、図３（ｅ）で示すカバー１００の実施形態では、帯１２を内部Ｊ字形のフック３６’を形成する布地層に当てて配置した状態で、弾性帯１２の端部４６を内部Ｊ字形のフック３６’の上縁に隣接して配置することができる。帯１２の端部４６が異常な使用時にカバー１００から確実に引き離されないようにするために、図３（ｂ）の弾性帯取り付け方法について説明したように、補足的固定手段を設けることができる。図３（ｅ）を参照すると、ステッチ４４で縫った後、固定ステッチ４８が弾性帯１２の層、内部Ｊ字形のフック３６’を形成する布地層、弾性結合部３８、側部分２４、および外部Ｊ字形のフック３６”を形成する布地層を通って延びるように、従来の固定ステッチ機械で、補足的固定手段となる固定ステッチ４８を形成することができる。
【００７８】
図３（ｅ）の実施形態と比較すると、図３（ｇ）の実施形態では、弾性帯１２を図３（ｅ）とは逆方向で内部Ｊ字形のフック３６’を形成する布地層に当てて折り畳み、その後に図３（ｅ）の実施形態について上述したように固定ステッチ４８で固定することができる。
【００７９】
図３（ｂ）の構造のように、各帯１２の各端部は、図３（ｅ）および図３（ｇ）で示すような構造でカバーの関連する下部分に固定される。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００８０】
上述し、図３（ａ）および図３（ｃ）〜図３（ｇ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、内部Ｊ字形のフック３６’を設けると、弾性結合部３８をしっかり囲み、結合部３８が緩むのを防止し、さらに外部Ｊ字形のフック３６”を含み、したがってカバー１００の側部分２４に実質的にしわがなく、マットレスに整然として確実に嵌め込まれる。人間工学的に、図３（ａ）および図３（ｃ）〜図３（ｇ）の構造は、また、優れた嵌め込み式弾性カバーを提供し、外部および内部Ｊ字形のフック３６”および３６’がそれぞれ弾性帯１２および弾性結合部３８を囲んで、これを隠し、したがってしわがない嵌め込みに加えて、弾性帯１２および弾性結合部３８は、カバー１００の外面から隠れてしまう。
【００８１】
次に、図１、図４（ａ）〜図４（ｇ）および図７〜図９を参照して、嵌め込み式カバー２００の第３の実施形態について詳細に説明する。
【００８２】
特に図１を参照すると、本体２０、天部分２２、対向する側部分２４、対向する端部分２６、垂直隅部２８、ステッチ３０およびオーバロックまたは安全ステッチ３２などの要素が、図４（ａ）で示すように嵌め込み式カバー１０の第１の実施形態について上述したものと類似した状態で、各側部分２４、および同様に各端部分２６は、弾性結合部３８および弾性帯１２を固定するために強化した二重布地層５２を形成するように、逆Ｕ字形構成で折り畳んだ底区間３４を含むことができる。上記で説明したように、当技術分野で知られている様々な他の水平または垂直隅部形成方法を使用することができ、本明細書で説明する嵌め込み式カバーでは、垂直または水平隅部の代わりに嵌め込み式カバー１０は、単層または多層の布地が隅部なしの嵌め込み式カバーを形成する「隅なし」変種であってもよい。図４（ａ）の実施形態では、嵌め込み式カバー１０の第１の実施形態について上記で説明したように、弾性結合部３８は、嵌め込み式カバーのこのような弾性結合材料に使用する従来の材料で形成することができ、カバーの連続した下縁の周囲に配置し、カバーの下縁の長さに沿って少なくとも部分的に延ばすことができる。強化した二重布地層５２に隣接して固定すると、以下でさらに詳細に説明するように、結合部３８をステッチ４４によって側部分２４の外層４０に隣接して固定することができる。カバー２００の各端部分２６は、類似の下部分および下縁を有し、上述したフック構成を含むことができる。側部分および端部分２４、２６それぞれの下縁は、個々の部分の長手方向に延び、本体２０の天部分２２から隔置することができる。側部分２４の下縁を、端部分２６の下縁と接合して、カバーの連続した下縁を形成することができる。
【００８３】
図４（ａ）に関して上述したカバー２００の第３の実施形態の一般的な構成では、次に前述した強化二重布地層５２を、弾性帯１２の取り付け方法を説明するベースとして使用する。
【００８４】
特に図４（ａ）および図４（ｂ）を参照すると、図４（ｂ）に示したカバー２００の実施形態の場合には、結合部３８を所定の位置に固定するステッチ４４を適用する前に、弾性帯１２の端部４６を、側部分２４の外層４０と弾性結合部３８の間に最初に挿入し、挟むことができる。弾性帯１２および弾性結合部３８が図４（ｂ）に示したように配置された状態で、側部分２４の外層４０、弾性帯１２、弾性結合部３８、および強化二重布地層５２を含むアセンブリ全体を、ステッチ４４で縫うことができる。
【００８５】
帯１２の端部４６が異常な使用時にカバー２００から確実に引き離されないようにするために、補足的固定手段を設けることができる。図４（ｂ）を参照すると、ステッチ４４によって帯１２を縫った後、帯１２を強化二重布地層５２の上縁上で折り畳み、強化二重布地層５２の内側に面する表面に当てて位置決めすることができる。弾性帯１２をさらに固定するために、次に、固定ステッチが弾性帯１２の第１の層、強化二重布地層５２、弾性結合部３８、帯１２の予め挿入した端部４６を含む層、および側部分２４の外層４０を通して延びるように、従来の固定ステッチ機械で、補足的固定手段となる固定ステッチ４８を形成することができる。
【００８６】
各帯１２の各端部は、図４（ｂ）で示すような構造でカバーの関連する下部分に固定されることを理解されたい。さらに、図１で示すように、４つの類似の弾性帯１２を設けてよく、これらの帯はそれぞれ結合部と同じ材料で形成し、カバーの隅部の１つを横切って対角線状に延びる。別の方法としては、当業者には明白であるように、各帯は、結合部に対して弾性を変化させるために、結合部とは異なる材料で形成することができる。各帯は、その一方端がカバーの側部分２４の１つに固定され、反対端がカバーの隣接する端部分２６に固定される。
【００８７】
上述し、図４（ａ）および図４（ｂ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、強化二重布地層５２を設けると、弾性結合部３８をしっかり取り付け、結合部３８が緩むのを防止し、さらに外部布地層４０が弾性結合部３８および弾性帯１２を囲み、したがって側部分２４に実質的にしわがなく、それによってマットレスに整然として確実に嵌め込まれる。人間工学的に、図４（ａ）および図４（ｂ）の構造は、また、優れた嵌め込み式弾性カバーを提供し、外部布地層４０が弾性帯１２および弾性結合部３８を囲み、したがってしわがない嵌め込みに加えて、弾性帯１２および弾性結合部３８は、カバー２００の外面から隠れてしまう。
【００８８】
次に、嵌め込み式カバー２００の第３の実施形態の弾性帯１２の第１の代替取り付け方法について、図４（ａ）および図４（ｃ）に関して詳細に説明する。
【００８９】
特に図４（ａ）および図４（ｃ）を参照すると、図４（ｂ）の弾性帯取り付け方法で説明したように、結合部３８を所定の位置に固定するためにステッチ４４を適用する前に、図４（ｃ）で示したカバー２００の実施形態では、弾性帯１２の端部４６を、側部分２４の外層４０と弾性結合部３８の間に最初に挿入し、挟むことができる。弾性帯１２および弾性結合部３８が図４（ｃ）で示すように配置された状態で、側部分２４の外層４０、弾性帯１２、弾性結合部３８、および強化二重布地層５２を含むアセンブリ全体を、ステッチ４４で縫うことができる。
【００９０】
図４（ｂ）の弾性帯取り付け方法について説明したように、帯１２の端部４６が異常な使用時にカバー２００から確実に引き離されないようにするために、補足的固定手段を設けることができる。図４（ｃ）を参照すると、ステッチ４４で帯１２を縫った後、固定ステッチが強化二重布地層５２、弾性結合部３８、帯１２の予め挿入した端部４６を含む層、および側部分２４の外層４０を通って延びるように、従来の固定ステッチ機械で、補足的固定手段となる固定ステッチ４８を形成することができる。
【００９１】
図４（ｂ）の構造のように、各帯１２の各端部は、図４（ｃ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００９２】
次に、嵌め込み式カバー２００の第３の実施形態で弾性帯１２を取り付ける第２の代替方法について、図４（ａ）、図４（ｄ）および図４（ｆ）に関して詳細に説明する。
【００９３】
特に図４（ａ）および図４（ｄ）を参照すると、強化二重布地層５２、弾性結合部３８、および側部分２４の外層４０を通してステッチ４４を施した後、図４（ｄ）で示すカバー２００の実施形態では、弾性帯１２の区間６２を強化二重布地層５２の内層に当てて折り畳むことができる。帯１２の端部４６が異常な使用時にカバー２００から確実に引き離されないようにするために、図４（ｂ）の弾性帯取り付け方法について説明したように、補足的固定手段を設けることができる。図４（ｄ）を参照すると、ステッチ４４で縫った後、固定ステッチが弾性帯１２の折り畳んだ層、強化二重布地層５２、弾性結合部３８、および側部分２４の外層４０を通って延びるように、従来の固定ステッチ機械で、補足的固定手段を備える固定ステッチ４８を形成することができる。
【００９４】
図４（ｄ）の実施形態と比較すると、図４（ｆ）の実施形態では、弾性帯１２を図４（ｄ）とは逆方向で強化二重布地層５２の内層に当てて折り畳み、その後に図４（ｄ）の実施形態について上述したように固定ステッチ４８で固定することができる。
【００９５】
図４（ｂ）の構造のように、各帯１２の各端部は、図４（ｄ）および図４（ｆ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【００９６】
次に、嵌め込み式カバー２００の第３の実施形態で弾性帯１２を取り付ける第３の代替方法について、図４（ａ）、図４（ｅ）および図４（ｇ）に関して詳細に説明する。
【００９７】
特に図４（ａ）および図４（ｅ）を参照すると、強化二重布地層５２、弾性結合部３８、および側部分２４の外層４０を通してステッチ４４を施した後、図４（ｅ）で示すカバー２００の実施形態では、帯１２を強化二重布地層５２の内層に当てて配置した状態で、弾性帯１２の端部４６を強化二重布地層５２の上縁に隣接して配置することができる。帯１２の端部４６が異常な使用時にカバー２００から確実に引き離されないようにするために、図４（ｂ）の弾性帯取り付け方法について説明したように、補足的固定手段を設けることができる。図４（ｅ）を参照すると、ステッチ４４で縫った後、固定ステッチが弾性帯１２の層、強化二重布地層５２、弾性結合部３８、および側部分２４の外層４０を通って延びるように、従来の固定ステッチ機械で、補足的固定手段となる固定ステッチ４８を形成することができる。
【００９８】
図４（ｅ）の実施形態と比較すると、図４（ｇ）の実施形態では、弾性帯１２を図４（ｅ）とは逆方向で強化二重布地層５２の内層に当てて取り付け、その後に図４（ｅ）の実施形態について上述したように固定ステッチ４８で固定することができる。
【００９９】
図４（ｂ）の構造のように、各帯１２の各端部は、図４（ｅ）および図４（ｇ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【０１００】
上述し、図４（ａ）および図４（ｃ）〜図４（ｇ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、強化二重布地層５２を設けると、弾性結合部３８をしっかり取り付け、結合部３８が緩むのを防止し、さらに外部布地層４０が弾性結合部３８および弾性帯１２を囲み、したがって側部分２４に実質的にしわがなく、それによってマットレスに整然として確実に嵌め込まれる。人間工学的に、図４（ａ）および図４（ｃ）〜図４（ｇ）の構造は、また、優れた嵌め込み式弾性カバーを提供し、外部布地層４０が弾性帯１２および弾性結合部３８を囲み、したがってしわがない嵌め込みに加えて、弾性帯１２および弾性結合部３８は、カバー２００の外面から隠れてしまう。
【０１０１】
次に、図１、図５（ａ）〜図５（ｆ）および図７〜図９を参照して、嵌め込み式カバー３００の第４の実施形態について詳細に説明する。
【０１０２】
特に図１を参照すると、本体２０、天部分２２、対向する側部分２４、対向する端部分２６、垂直隅部２８、ステッチ３０およびオーバロックまたは安全ステッチ３２などの要素が、図５（ａ）で示すように嵌め込み式カバー１０の第１の実施形態について上述したものと類似した状態で、各側部分２４、および同様に各端部分２６は、通常、端部３５で終了する底区間を含むことができる。上記で説明したように、当技術分野で知られている様々な他の水平または垂直隅部形成方法を使用することができ、本明細書で説明する嵌め込み式カバーでは、垂直または水平隅部の代わりに嵌め込み式カバー１０は、単層または多層の布地が隅部なしの嵌め込み式カバーを形成する「隅なし」変種であってもよい。図５（ａ）の実施形態では、嵌め込み式カバー１０の第１の実施形態について上記で説明したように、弾性結合部３８は、嵌め込み式カバーのこのような弾性結合材料に使用する従来の材料で形成することができ、カバーの連続した下縁の周囲に配置し、カバーの下縁の長さに沿って少なくとも部分的に延ばすことができる。側部分２４に隣接して固定すると、結合部３８をかがり縫い６０によって側部分２４に固定することができる。カバー３００の各端部分２６は、類似の下部分および下縁を有する。側部分および端部分２４、２６それぞれの下縁は、個々の部分の長手方向に延び、本体２０の天部分２２から隔置することができる。側部分２４の下縁を、端部分２６の下縁と接合して、カバーの連続した下縁を形成することができる。
【０１０３】
図５（ａ）に関して上述したカバー３００の第４の実施形態の一般的な構成では、次にカバー３００の前述した構成を、弾性帯１２の取り付け方法を説明するベースとして使用する。
【０１０４】
特に図５（ａ）および図５（ｂ）を参照すると、図５（ｂ）に示したカバー３００の実施形態の場合には、弾性帯１２、弾性結合部３８および側部分２４にかがり縫い６０または他の取り付け方法を適用した後、弾性帯１２の区間６２を弾性結合部３８に当てて折り畳むことができる。帯１２の端部４６が異常な使用時にカバー３００から確実に引き離されないようにするために、補足的固定手段を設けることができる。図５（ｂ）を参照すると、ステッチ６０によって縫った後、固定ステッチが弾性帯１２の折り畳んだ層、弾性結合部３８、および側部分２４を通して延びるように、従来の固定ステッチ機械で、補足的固定手段となる固定ステッチ４８を形成することができる。
【０１０５】
各帯１２の各端部は、図５（ｂ）および図５（ｄ）で示すような構造でカバーの関連する下部分に固定されることを理解されたい。さらに、図１で示すように、４つの類似の弾性帯１２を設けてよく、これらの帯はそれぞれ結合部と同じ材料で形成し、カバーの隅部の１つを横切って対角線状に延びる。別の方法としては、当業者には明白であるように、各帯は、結合部に対して弾性を変化させるために、結合部とは異なる材料で形成することができる。各帯は、その一方端がカバーの側部分２４の１つに固定され、反対端がカバーの隣接する端部分２６に固定される。
【０１０６】
図５（ｂ）の実施形態と比較すると、図５（ｄ）の実施形態では、弾性帯１２を図５（ｂ）とは逆方向で弾性結合部３８に当てて折り畳み、その後に図５（ｂ）の実施形態について上述したように固定ステッチ４８で固定することができる。
【０１０７】
次に、嵌め込み式カバー３００の第４の実施形態の弾性帯１２の第２の代替取り付け方法について、図５（ａ）、図５（ｃ）、および図５（ｅ）に関して詳細に説明する。
【０１０８】
特に図５（ａ）および図５（ｃ）を参照すると、弾性帯１２、弾性結合部３８、および側部分２４を通してかがり縫い６０を適用した後、図５（ｃ）で示したカバー３００の実施形態では、弾性帯１２の端部４６を弾性結合部３８の上縁に隣接して配置することができる。図５（ｂ）の弾性帯取り付け方法について説明したように、帯１２の端部４６が異常な使用時にカバー３００から確実に引き離されないようにするために、補足的固定手段を設けることができる。図５（ｃ）を参照すると、ステッチ６０で縫った後、固定ステッチが弾性帯１２の層、弾性結合部３８、および側部分２４を通って延びるように、従来の固定ステッチ機械で、補足的固定手段となる固定ステッチ４８を形成することができる。
【０１０９】
図５（ｃ）の実施形態と比較すると、図５（ｅ）の実施形態では、弾性帯１２を図５（ｃ）とは逆方向で弾性結合部３８に取り付け、その後に図５（ｃ）の実施形態について上述したように固定ステッチ４８で固定することができる。さらに、図５（ｆ）の実施形態では、弾性帯１２を図５（ｃ）とは逆方向で弾性結合部３８間でカバーに取り付け、その後に図５（ｃ）の実施形態について上述したように固定ステッチ４８で固定することができる。
【０１１０】
図５（ｂ）の構造のように、各帯１２の各端部は、図５（ｃ）、図５（ｅ）および図５（ｆ）で示すような構造でカバーの関連する下部分に固定されることを理解されたい。さらに図１で示すように、４つの類似の弾性帯１２を設けることができ、これらの帯はそれぞれ、結合部と同じ材料で形成され、カバーの隅部の１つを横切って対角線状に延びる。別の方法としては、当業者には明白であるように、各帯は、結合部に対する弾性を変化させるために、結合部とは異なる材料で形成することができる。各帯は、一方端がカバーの側部分２４の１つに固定され、反対端がカバーの隣接する端部分２６に固定される。
【０１１１】
上述し、図５（ａ）〜図５（ｆ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。さらに、かがり縫いを設けると、弾性結合部３８をしっかり取り付け、結合部３８が緩むのを防止し、さらに外部布地層が弾性結合部３８および弾性帯１２を隠し、したがって側部分２４に実質的にしわがなく、それによってマットレスに整然として確実に嵌め込まれる。人間工学的に、図５（ａ）〜図５（ｆ）の構造は、また、優れた嵌め込み式弾性カバーを提供し、外部布地層が弾性帯１２および弾性結合部３８を囲み、したがってしわがない嵌め込みに加えて、弾性帯１２および弾性結合部３８は、カバー３００の外面から隠れてしまう。図５（ａ）〜図５（ｆ）の構造に関して、側部分２４を固定するために、かがり縫い６０を使用するものとして説明してきたが、固定ステッチ４８が弾性帯１２を縫いつけた側部分２４および弾性結合部３８に固定するように、弾性結合部３８および弾性帯１２、ステッチ６０を代替的に使用して、側部分２４および弾性結合部３８のみを固定することができる。
【０１１２】
次に、図１、図６（ａ）〜図６（ｆ）および図７〜図９を参照して、嵌め込み式カバー４００の第５の実施形態について詳細に説明する。
【０１１３】
特に図１を参照すると、本体２０、天部分２２、対向する側部分２４、対向する端部分２６、垂直隅部２８、ステッチ３０およびオーバロックまたは安全ステッチ３２などの要素が、図６（ａ）で示すように嵌め込み式カバー１０の第１の実施形態について上述したものと類似した状態で、各側部分２４、および同様に各端部分２６は、通常、端部３５で終了する底区間３４を含むことができる。上記で説明したように、当技術分野で知られている様々な他の水平または垂直隅部形成方法を使用することができ、本明細書で説明する嵌め込み式カバーでは、垂直または水平隅部の代わりに嵌め込み式カバー１０は、単層または多層の布地が隅部なしの嵌め込み式カバーを形成する「隅なし」変種であってもよい。図６（ａ）の実施形態では、弾性結合部３８の折り畳んだ層を、側部分２４の内面および外面に当てて配置することができる。嵌め込み式カバー１０の第１の実施形態について上記で説明したように、弾性結合部３８は、嵌め込み式カバーのこのような弾性結合材料に使用する従来の材料で形成することができ、カバーの連続した下縁の周囲に配置し、カバーの下縁の長さに沿って少なくとも部分的に延ばすことができる。以下でさらに詳細に説明するように、側部分２４の内面および外面に当てて配置すると、結合部３８の各層をステッチ４４によって側部分２４に隣接して固定することができる。側部分および端部分２４、２６それぞれの下縁は、個々の部分の長手方向に延び、本体２０の天部分２２から隔置することができる。側部分２４の下縁を、端部分２６の下縁と接合して、カバーの連続した下縁を形成することができる。
【０１１４】
図６（ａ）に関して上述したカバー４００の第５の実施形態の一般的な構成では、次に前述した構成を、弾性帯１２の取り付け方法を説明するベースとして使用する。
【０１１５】
特に図６（ａ）および図６（ｂ）を参照すると、図６（ｂ）に示したカバー４００の実施形態の場合には、結合部３８を所定の位置に固定するためにステッチ４４を適用する前に、弾性帯１２の端部４６を側部分２４と弾性結合部３８の内層の間に最初に挿入し、挟むことができる。弾性帯１２および弾性結合部３８が図６（ｂ）で示したように配置された状態で、弾性結合部３８の内層、弾性帯１２の層、側部分２４、および弾性結合部３８の外層を含むアセンブリ全体を、ステッチ４４で縫うことができる。
【０１１６】
帯１２の端部４６が異常な使用時にカバー４００から確実に引き離されないようにするために、補足的固定手段を設けることができる。図６（ｂ）を参照すると、ステッチ４４によって帯１２を縫った後、固定ステッチが弾性結合部３８の内層、弾性帯１２の層、側部分２４、および弾性結合部３８の外層を通して延びるように、従来の固定ステッチ機械で、補足的固定手段となる固定ステッチ４８を形成することができる。
【０１１７】
各帯１２の各端部は、図６（ｂ）で示すような構造でカバーの関連する下部分に固定されることを理解されたい。さらに、図１で示すように、４つの類似の弾性帯１２を設けてよく、これらの帯はそれぞれ結合部と同じ材料で形成し、カバーの隅部の１つを横切って対角線状に延びる。別の方法としては、当業者には明白であるように、各帯は、結合部に対して弾性を変化させるために、結合部とは異なる材料で形成することができる。各帯は、その一方端がカバーの側部分２４の１つに固定され、反対端がカバーの隣接する端部分２６に固定される。
【０１１８】
上述し、図６（ａ）および図６（ｂ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。
【０１１９】
次に、嵌め込み式カバー４００の第５の実施形態の弾性帯１２の第１の代替取り付け方法について、図６（ａ）、図６（ｃ）、および図６（ｅ）に関して詳細に説明する。
【０１２０】
特に図６（ａ）および図６（ｃ）を参照すると、弾性結合部３８の内層、側部分２４、および弾性結合部３８の外層を通してステッチ４４を適用した後、図６（ｃ）で示したカバー４００の実施形態では、弾性帯１２の区間６２を弾性結合部３８の内層に当てて折り畳むことができる。図６（ｂ）の弾性帯取り付け方法について説明したように、帯１２の端部４６が異常な使用時にカバー４００から確実に引き離されないようにするために、補足的固定手段を設けることができる。図６（ｃ）を参照すると、ステッチ４４で縫った後、固定ステッチが弾性帯１２の折り畳んだ層、弾性結合部３８の内層、側部分２４、および弾性結合部３８の外層を通って延びるように、従来の固定ステッチ機械で、補足的固定手段となる固定ステッチ４８を形成することができる。
【０１２１】
図６（ｃ）の実施形態と比較すると、図６（ｅ）の実施形態では、弾性帯１２を図６（ｃ）とは逆方向で弾性結合部３８の内層に当てて折り畳み、その後に図６（ｃ）の実施形態について上述したように固定ステッチ４８で固定することができる。
【０１２２】
図６（ｂ）の構造のように、各帯１２の各端部は、図６（ｃ）および図６（ｅ）で示すような構造でカバーの関連する下部分に固定されることを理解されたい。
【０１２３】
次に、嵌め込み式カバー４００の第５の実施形態の弾性帯１２の第２の代替取り付け方法について、図６（ａ）、図６（ｄ）、および図６（ｆ）に関して詳細に説明する。
【０１２４】
特に図６（ａ）および図６（ｄ）を参照すると、弾性結合部３８の内層、側部分２４、および弾性結合部３８の外層を通してステッチ４４を適用した後、図６（ｄ）で示したカバー４００の実施形態では、弾性帯１２が弾性結合部３８の内層に当てて配置された状態で、弾性帯１２の端部４６を弾性結合部３８の内層の上縁に隣接して配置することができる。図６（ｄ）の弾性帯取り付け方法について説明したように、帯１２の端部４６が異常な使用時にカバー４００から確実に引き離されないようにするために、補足的固定手段を設けることができる。図６（ｄ）を参照すると、ステッチ４４で縫った後、固定ステッチ４８が弾性帯１２の層、弾性結合部３８の内層、側部分２４、および弾性結合部３８の外層を通って延びるように、従来の固定ステッチ機械で、補足的固定手段となる固定ステッチ４８を形成することができる。
【０１２５】
図６（ｄ）の実施形態と比較すると、図６（ｆ）の実施形態では、弾性帯１２を図６（ｄ）とは逆方向で弾性結合部３８の内層に取り付け、その後に図６（ｄ）の実施形態について上述したように固定ステッチ４８で固定することができる。
【０１２６】
図６（ｂ）の構造のように、各帯１２の各端部は、図６（ｄ）および図６（ｆ）で示すような構造でカバーの関連する下部分に固定されることを理解されたい。
【０１２７】
上述し、図６（ａ）および図６（ｃ）〜図６（ｆ）で示したこの構造では、急に引っ張るなどの異常な使用時においても、弾性帯１２がカバーに接続されたままであり、稀な場合のみ、帯の端部がカバーから引き剥がされる前に、中間点で分離し、破断される。
【０１２８】
図１〜図９に関して上述した嵌め込み式カバーの様々な実施形態、Ｕ字形またはＪ字形部分を含む実施形態では、このような部分をカバーの外側または内側に向かって折り畳み可能であることに留意されたい。例示により、図２（ｂ）で示したＪ字形部分について、Ｊ字形のフック部分３６や、カバーの外側に向かって折り畳んだように図示されているが、上記で説明したように、フック部分３６は本発明の範囲から逸脱することなく、同様に反対方向に（すなわちカバーの内側に向かって）折り畳んでもよい。
【０１２９】
本発明の特定の実施形態を、添付の図面に関して本明細書で詳細に説明してきたが、本発明はこれらの特定の実施形態に制限されず、請求の範囲で定義されているような本発明の範囲または精神から逸脱することなく、当業者には様々な変更および修正が実行できることを理解されたい。
【図面の簡単な説明】
【０１３０】
【図１】自身に装着された本発明による嵌め込み式カバーを有するマットレスの底部斜視図である。
【図２（ａ）】図１の嵌め込み式カバーの第１の実施形態の隅部の下部分の拡大斜視断面図であり、カバー布地を弾性結合部上にてＪ字形構成で内側に折り畳む方法を示す図である。
【図２（ｂ）】図２（ａ）の嵌め込み式カバーの第１の実施形態の隅部の下部分の拡大斜視断面図であり、弾性帯の端部を最初に挿入し、ステッチによって所定の位置に固定して、その後に折り畳み、カバー布地の内側に面する折り畳んだ表面に当てて配置し、固定ステッチによってそれに固定する方法を示す図である。
【図２（ｃ）】図２（ａ）の嵌め込み式カバーの代替第１の実施形態の隅部の下部分の拡大斜視断面図であり、弾性帯の端部を挿入し、ステッチおよび固定ステッチによって所定の位置に固定する方法を示す図である。
【図２（ｄ）】図２（ａ）の嵌め込み式カバーの別の代替第１の実施形態の隅部の下部分の拡大斜視断面図であり、弾性帯を折り畳み、カバー布地の内側に面する折り畳んだ表面に当てて配置し、固定ステッチによってそれに固定する方法を示す図である。
【図２（ｅ）】図２（ａ）の嵌め込み式カバーのさらに別の代替第１の実施形態の隅部の下部分の拡大斜視断面図であり、弾性帯をカバー布地の内側に面する折り畳んだ表面に当てて配置し、固定ステッチによってそれに固定する方法を示す図である。
【図２（ｆ）】図２（ａ）の嵌め込み式カバーの別の代替第１の実施形態の隅部の下部分の拡大斜視断面図であり、弾性帯を折り畳み、カバー布地の内側に面する折り畳んだ表面に当てて配置し、固定ステッチによってそれに固定する代替方法を示す図である。
【図２（ｇ）】図２（ａ）の嵌め込み式カバーのさらに別の代替第１の実施形態の隅部の下部分の拡大斜視断面図であり、弾性帯をカバー布地の内側に面する折り畳んだ表面に当てて配置し、固定ステッチによってそれに固定する代替方法を示す図である。
【図３（ａ）】図１の嵌め込み式カバーの第２の実施形態の隅部の下部分の拡大斜視断面図であり、カバー布地を鏡像のように対称形となるＪ字形布結合部の間に配置する方法を示し、内側に面するＪ字形区間が弾性結合部上に折り畳まれる図である。
【図３（ｂ）】図３（ａ）の嵌め込み式カバーの第２の実施形態の隅部の下部分の拡大斜視断面図であり、弾性帯の端部を最初に挿入し、ステッチによって所定の位置に固定して、その後に折り畳んで、内側に面するＪ字形区間に当てて配置し、固定ステッチによってそれに固定する方法を示す図である。
【図３（ｃ）】図３（ａ）の嵌め込み式カバーの代替第２の実施形態の隅部の下部分の拡大斜視断面図であり、弾性帯の端部を挿入し、ステッチおよび固定ステッチによって所定の位置に固定する方法を示す図である。
【図３（ｄ）】図３（ａ）の嵌め込み式カバーの別の代替第２の実施形態の隅部の下部分の拡大斜視断面図であり、弾性帯を折り畳み、内側に面するＪ字形区間に当てて配置し、固定ステッチによってそれに固定する方法を示す図である。
【図３（ｅ）】図３（ａ）の嵌め込み式カバーのさらに別の代替第２の実施形態の隅部の下部分の拡大斜視断面図であり、弾性帯を内側に面するＪ字形区間に当てて配置し、固定ステッチでそれに固定する方法を示す図である。
【図３（ｆ）】図３（ａ）の嵌め込み式カバーの別の代替第２の実施形態の隅部の下部分の拡大斜視断面図であり、弾性帯を折り畳み、カバー布地の内側に面する折り畳んだ表面に当てて配置し、固定ステッチによってそれに固定する代替方法を示す図である。
【図３（ｇ）】図３（ａ）の嵌め込み式カバーのさらに別の代替第２の実施形態の隅部の下部分の拡大斜視断面図であり、弾性帯を内側に面するＪ字形区間に当てて配置し、固定ステッチによってそれに固定する代替方法を示す図である。
【図４（ａ）】図１の嵌め込み式カバーの第３の実施形態の隅部の下部分の拡大斜視断面図であり、カバー布地を内側に折り畳み、弾性結合部の内側に面する表面に当てて配置する方法を示す図である。
【図４（ｂ）】図４（ａ）の嵌め込み式カバーの第３の実施形態の隅部の下部分の拡大斜視断面図であり、弾性帯の端部を最初に挿入し、ステッチによって所定の位置に固定して、その後に折り畳んで、カバー布地の内側に面する折り畳んだ表面に当てて配置し、固定ステッチによってそれに固定する方法を示す図である。
【図４（ｃ）】図４（ａ）の嵌め込み式カバーの代替第３の実施形態の隅部の下部分の拡大斜視断面図であり、弾性帯の端部を挿入し、ステッチおよび固定ステッチによって所定の位置に固定する方法を示す図である。
【図４（ｄ）】図４（ａ）の嵌め込み式カバーの別の代替第３の実施形態の隅部の下部分の拡大斜視断面図であり、弾性帯を折り畳み、カバー布地の内側に面する折り畳んだ表面に当てて配置し、固定ステッチによってそれに固定する方法を示す図である。
【図４（ｅ）】図４（ａ）の嵌め込み式カバーのさらに別の代替第３の実施形態の隅部の下部分の拡大斜視断面図であり、弾性帯をカバー布地の内側に面する折り畳んだ表面に当てて配置し、固定ステッチでそれに固定する方法を示す図である。
【図４（ｆ）】図４（ａ）の嵌め込み式カバーの別の代替第３の実施形態の隅部の下部分の拡大斜視断面図であり、弾性帯を折り畳み、カバー布地の内側に面する折り畳んだ表面に当てて配置し、固定ステッチによってそれに固定する代替方法を示す図である。
【図４（ｇ）】図４（ａ）の嵌め込み式カバーのさらに別の代替第３の実施形態の隅部の下部分の拡大斜視断面図であり、弾性帯をカバー布地の内側に面する折り畳んだ表面に当てて配置し、固定ステッチによってそれに固定する代替方法を示す図である。
【図５（ａ）】図１の嵌め込み式カバーの第４の実施形態の隅部の下部分の拡大斜視断面図であり、カバー布地が下方向に延び、かがり縫いによってそれに取り付けた弾性結合部を含む方法を示す図である。
【図５（ｂ）】図５（ａ）の嵌め込み式カバーの第４の実施形態の隅部の下部分の拡大斜視断面図であり、弾性帯を折り畳み、弾性結合部に当てて配置し、固定ステッチによってカバーに固定する方法を示す図である。
【図５（ｃ）】図５（ａ）の嵌め込み式カバーの代替第４の実施形態の隅部の下部分の拡大斜視断面図であり、弾性帯を弾性結合部に当てて配置し、固定ステッチによってカバーに固定する方法を示す図である。
【図５（ｄ）】図５（ａ）の嵌め込み式カバーの代替第４の実施形態の隅部の下部分の拡大斜視断面図であり、弾性帯を折り畳み、弾性結合部に当てて配置し、固定ステッチによってカバーに固定する代替方法を示す図である。
【図５（ｅ）】図５（ａ）の嵌め込み式カバーの代替第４の実施形態の隅部の下部分の拡大斜視断面図であり、弾性帯を弾性結合部に当てて配置し、固定ステッチでカバーに固定する代替方法を示す図である。
【図５（ｆ）】図５（ａ）の嵌め込み式カバーの代替第４の実施形態の隅部の下部分の拡大斜視断面図であり、弾性帯を弾性結合部とカバーの間に配置し、固定ステッチによってカバーに固定する代替方法を示す図である。
【図６（ａ）】図１の嵌め込み式カバーの第５の実施形態の隅部の下部分の拡大斜視断面図であり、カバー布地が下方向に延び、その内側および外側で自身に取り付けた弾性結合部を含む方法を示す図である。
【図６（ｂ）】図６（ａ）の嵌め込み式カバーの代替第５の実施形態の隅部の下部分の拡大斜視断面図であり、弾性帯の端部を挿入し、ステッチおよび固定ステッチによって所定の位置に固定する方法を示す図である。
【図６（ｃ）】図６（ａ）の嵌め込み式カバーの別の代替第５の実施形態の隅部の下部分の拡大斜視断面図であり、弾性帯を折り畳み、弾性結合部の内側に面する折り畳んだ表面に当てて配置し、固定ステッチによってそれに固定する方法を示す図である。
【図６（ｄ）】図６（ａ）の嵌め込み式カバーのさらに別の代替第５の実施形態の隅部の下部分の拡大斜視断面図であり、弾性帯を弾性結合部の内側に面する折り畳んだ表面に当てて配置し、固定ステッチによってそれに固定する方法を示す図である。
【図６（ｅ）】図６（ａ）の嵌め込み式カバーの別の代替第５の実施形態の隅部の下部分の拡大斜視断面図であり、弾性帯を折り畳み、弾性結合部の内側に面する折り畳んだ表面に当てて配置し、固定ステッチでそれに固定する代替方法を示す図である。
【図６（ｆ）】図６（ａ）の嵌め込み式カバーのさらに別の代替第５の実施形態の隅部の下部分の拡大斜視断面図であり、弾性帯を弾性結合部の内側に面する折り畳んだ表面に当てて配置し、固定ステッチによってそれに固定する代替方法を示す図である。
【図７】カバーの隅部をマットレスに装着する方法を示す図である。
【図８】マットレスに装着した場合のカバーの隅部の１つの底面図である。
【図９】マットレスに装着した場合のカバーの隅部の１つを示す立面図である。
【図１】
2008520358.tif 000003
【図２Ａ】
2008520358.tif 000004
【図２Ｂ】
2008520358.tif 000005
【図２Ｃ】
2008520358.tif 000006
【図２Ｄ】
2008520358.tif 000007
【図２Ｅ】
2008520358.tif 000008
【図２Ｆ】
2008520358.tif 000009
【図２Ｇ】
2008520358.tif 000010
【図３Ａ】
2008520358.tif 000011
【図３Ｂ】
2008520358.tif 000012
【図３Ｃ】
2008520358.tif 000013
【図３Ｄ】
2008520358.tif 000014
【図３Ｅ】
2008520358.tif 000015
【図３Ｆ】
2008520358.tif 000016
【図３Ｇ】
2008520358.tif 000017
【図４Ａ】
2008520358.tif 000018
【図４Ｂ】
2008520358.tif 000019
【図４Ｃ】
2008520358.tif 000020
【図４Ｄ】
2008520358.tif 000021
【図４Ｅ】
2008520358.tif 000022
【図４Ｆ】
2008520358.tif 000023
【図４Ｇ】
2008520358.tif 000024
【図５Ａ】
2008520358.tif 000025
【図５Ｂ】
2008520358.tif 000026
【図５Ｃ】
2008520358.tif 000027
【図５Ｄ】
2008520358.tif 000028
【図５Ｅ】
2008520358.tif 000029
【図５Ｆ】
2008520358.tif 000030
【図６Ａ】
2008520358.tif 000031
【図６Ｂ】
2008520358.tif 000032
【図６Ｃ】
2008520358.tif 000033
【図６Ｄ】
2008520358.tif 000034
【図６Ｅ】
2008520358.tif 000035
【図６Ｆ】
2008520358.tif 000036
【図７】
2008520358.tif 000037
【図８】
2008520358.tif 000038
【図９】
2008520358.tif 000039